(57)【要約】【課題】水生生物の育成効率を向上させることができる、水生生物育成器および水生生物育成システムを提供する。【解決手段】貝類育成器１は、鉛直方向に延びる、かつ、遮光性を有する一対の鉛直板２と、遮光性を有する傾斜板３と、遮光性を有する水平板４を備える。傾斜板３は、その鉛直方向上側の面が鉛直方向に傾斜しており、かつ、鉛直板２に突出して取付けられている。水平板４は、傾斜板３の位置と鉛直方向および水平方向に異なる位置に、鉛直板２に突出して取付けられている。水平板４はその鉛直方向上側の面が水平である。同一水平面に配置された傾斜板３と同一水平面に配置された水平板４とを一つの組合せ単位とした場合、この組み合わせ単位においては、傾斜板３が水平板４よりも鉛直方向斜め上側に配置されている。【選択図】図１
2016144432.tif 000002
【特許請求の範囲】
【請求項１】
鉛直方向に延びる、かつ、遮光性を有する鉛直部材と、
該鉛直部材に突出して取付けられる、かつ、遮光性を有する第１の突出部材と、
該第１の突出部材の位置と鉛直方向および水平方向に異なる位置に、前記鉛直部材に突出して取付けられる、かつ、遮光性を有する第２の突出部材とを備える
水生生物育成器。
【請求項２】
前記第１の突出部材は、少なくとも鉛直方向上側の面が鉛直方向に傾斜しており、
前記第２の突出部材は、少なくとも鉛直方向上側の面が水平である
請求項１に記載の水生生物育成器。
【請求項３】
前記第１の突出部材の一部と前記第２の突出部材の一部とが、鉛直方向の同一線上に位置する
請求項１または請求項２に記載の水生生物育成器。
【請求項４】
液体および水生生物を収容可能な水生生物育成槽と、
該水生生物育成槽の内部に鉛直方向に配置される、かつ、遮光性を有する鉛直部材と、
該鉛直部材に突出して取付けられる、かつ、遮光性を有する第１の突出部材と、
該第１の突出部材の位置と鉛直方向および水平方向に異なる位置に、前記鉛直部材に突出して取付けられる、かつ、遮光性を有する第２の突出部材と、
前記水生生物育成槽と連通される、かつ、液体および藻類を収容可能な藻類槽と、
該藻類槽の内部に配置される、かつ、発光可能な発光体と、
前記水生生物育成槽と連通される、かつ、液体に酸素を溶解可能な第１の気体溶解装置と、
前記藻類槽と連通される、かつ、液体に二酸化炭素を溶解可能な第２の気体溶解装置とを備える
水生生物育成システム。
【請求項５】
前記水生生物育成槽と連通される、かつ、二価鉄または三価鉄を含むセラミックスが充填された浄化槽を備える
請求項４に記載の水生生物育成システム。
【発明の詳細な説明】
【技術分野】
【０００１】
本発明は水生生物育成器および水生生物育成システムに関する。詳しくは、例えば、アワビやトコブシを育成するための水生生物育成器および水生生物育成システムに係るものである。
【背景技術】
【０００２】
貝類の育成すなわち養殖は、大きく海中養殖と陸上養殖とに分けられる。
海中養殖は、稚貝を付着させた板などを網で囲み、海中に降ろして育成させるという方法である。そのため、自然な生息状態に比較的近い環境を整えやすいというメリットがある。
【０００３】
しかし、海中養殖は、海水汚染の影響を受けやすく、また、船に乗って、給餌、清掃および収穫を行なわなければならないが、時化などによって船を出すことができず収穫できない場合があり、希望どおりに収穫し難いという問題があった。
【０００４】
これに対して陸上養殖には、このような海中養殖の問題点はない。そして、従来、様々な陸上養殖に関する技術が提案されている。
例えば特許文献１には、図６に示すような養殖装置が記載されている。
すなわち、特許文献１に記載の養殖装置１０１は、養殖用の水槽１１０と、窒素製造装置１２０と、酸素製造装置１２２と、微細泡発生手段１２４とを備える。
【０００５】
また、水槽１１０内には、散気管１２３が配置されている。
また、散気管１２３は、配管１２１Ｂを介して、窒素製造装置１２０の高濃度酸素ガス排出口１２０Ａに接続されている。
【０００６】
ここで、配管１２１Ｂの上流側には開口式回収口１２１Ａが設けられており、開口式回収口１２１Ａは高濃度酸素ガス排出口１２０Ａの近傍に配置されている。
また、散気管１２３と窒素製造装置１２０との間の配管１２１Ｂには、ブロア装置１２７が配置されている。ブロア装置１２７は、外部空気と高濃度酸素ガスを混合して散気管１２３に送ることができる。
【０００７】
また、酸素製造装置１２２は、配管１２１Ｂを介して散気管１２３に連結されている。
また、水槽１１０内には、散気管１２５が配置されている。また、散気管１２５は、微細泡発生手段１２４の排出口に連結されている。
【０００８】
また、養殖される貝類は、水槽１１０内に張られた底網に載置されたり、吊り下げ紐に吊り下げられて保持されたりする。
【先行技術文献】
【特許文献】
【０００９】
【特許文献１】特開２０１３−１５８２５０号公報
【発明の概要】
【発明が解決しようとする課題】
【００１０】
しかしながら、特許文献１に記載された養殖装置では、貝類などの水生生物が、単に水槽内に載置されたり、吊り下げられて保持されたりしているだけなので、溶存酸素濃度が高められた水に接触させることができる水生生物の数が不充分であり、その結果、水生生物の育成効率が不充分だった。
【００１１】
本発明は、以上の点に鑑みて創案されたものであり、水生生物の育成効率を向上させることができる、水生生物育成器および水生生物育成システムを提供することを目的とする。
【課題を解決するための手段】
【００１２】
上記の目的を達成するために、本発明の水生生物育成器は、鉛直方向に延びる、かつ、遮光性を有する鉛直部材と、該鉛直部材に突出して取付けられる、かつ、遮光性を有する第１の突出部材と、該第１の突出部材の位置と鉛直方向および水平方向に異なる位置に、前記鉛直部材に突出して取付けられる、かつ、遮光性を有する第２の突出部材とを備える。
【００１３】
ここで、鉛直方向に延びる、かつ、遮光性を有する鉛直部材と、鉛直部材に突出して取付けられる、かつ、遮光性を有する第１の突出部材とによって、第１の突出部材の鉛直方向下側に向いた面や、鉛直部材の、第１の突出部材が取付けられた位置の鉛直方向下側の領域に、夜行性の水生生物類を付着させやすい。鉛直方向上側からの光が遮られて暗くなるからである。
【００１４】
また、鉛直方向に延びる、かつ、遮光性を有する鉛直部材と、鉛直部材に突出して取付けられる、かつ、遮光性を有する第２の突出部材とによって、第２の突出部材の鉛直方向下側に向いた面や、鉛直部材の、第２の突出部材が取付けられた位置の鉛直方向下側の領域に、夜行性の水生生物を付着させやすい。
【００１５】
また、第１の突出部材の位置と鉛直方向および水平方向に異なる位置に、鉛直部材に突出して取付けられる第２の突出部材によって、第１の突出部材と第２の突出部材とが段違いに配置されるので、第１の突出部材と第２の突出部材との間に水生生物の餌を通すことができると共に、鉛直方向上側からの光を遮りやすい。
【００１６】
また、本発明の水生生物育成器において、第１の突出部材は、少なくとも鉛直方向上側の面が鉛直方向に傾斜しており、第２の突出部材は、少なくとも鉛直方向上側の面が水平であるものとすることができる。
【００１７】
この場合、少なくとも鉛直方向上側の面が鉛直方向に傾斜した第１の突出部材によって、鉛直方向上側から投入された水生生物の餌が、鉛直方向下側へ落ちやすくなる。
また、少なくとも鉛直方向上側の面が水平である第２の突出部材によって、鉛直方向上側から投入された水生生物の餌が鉛直方向下側へ落ちにくく、第２の突出部材に溜まりやすい。
【００１８】
さらに、本発明の水生生物育成器において、第１の突出部材の一部と第２の突出部材の一部とが、鉛直方向の同一線上に位置するものとすることができる。
【００１９】
この場合、鉛直方向上側からの光をさらに遮りやすい。
【００２０】
また、上記の目的を達成するために、本発明の水生生物育成システムは、液体および水生生物を収容可能な水生生物育成槽と、該水生生物育成槽の内部に鉛直方向に配置される、かつ、遮光性を有する鉛直部材と、該鉛直部材に突出して取付けられる、かつ、遮光性を有する第１の突出部材と、該第１の突出部材の位置と鉛直方向および水平方向に異なる位置に、前記鉛直部材に突出して取付けられる、かつ、遮光性を有する第２の突出部材と、前記水生生物育成槽と連通される、かつ、液体および藻類を収容可能な藻類槽と、該藻類槽の内部に配置される、かつ、発光可能な発光体と、前記水生生物育成槽と連通される、かつ、液体に酸素を溶解可能な第１の気体溶解装置と、前記藻類槽と連通される、かつ、液体に二酸化炭素を溶解可能な第２の気体溶解装置とを備える。
【００２１】
ここで、液体および水生生物を収容可能な水生生物育成槽によって、液体に水生生物を浸すことができる。
また、水生生物育成槽の内部に鉛直方向に配置される、かつ、遮光性を有する鉛直部材と、該鉛直部材に突出して取付けられる、かつ、遮光性を有する第１の突出部材とによって、第１の突出部材の鉛直方向下側に向いた面や、鉛直部材の、第１の突出部材が取付けられた位置の鉛直方向下側の領域に、夜行性の水生生物類を付着させやすい。
【００２２】
また、水生生物育成槽の内部に鉛直方向に配置される、かつ、遮光性を有する鉛直部材と、鉛直部材に突出して取付けられる、かつ、遮光性を有する第２の突出部材とによって、第２の突出部材の鉛直方向下側に向いた面や、鉛直部材の、第２の突出部材が取付けられた位置の鉛直方向下側の領域に、夜行性の水生生物を付着させやすい。
【００２３】
また、第１の突出部材の位置と鉛直方向および水平方向に異なる位置に、鉛直部材に突出して取付けられる第２の突出部材によって、第１の突出部材と第２の突出部材とが段違いに配置されるので、第１の突出部材と第２の突出部材との間に水生生物の餌を通すことができると共に、鉛直方向上側からの光を遮りやすい。
【００２４】
また、水生生物育成槽と連通される、かつ、液体および藻類を収容可能な藻類槽によって、水生生物育成槽に水生生物の餌である藻類を供給することができる。
【００２５】
また、水生生物育成槽と連通される、かつ、液体に酸素を溶解可能な第１の気体溶解装置によって、水生生物育成槽に、酸素が溶解した液体を供給することができる。
また、藻類槽の内部に配置される、かつ、発光可能な発光体と、藻類槽と連通される、かつ、液体に二酸化炭素を溶解可能な第２の気体溶解装置とによって、藻類の光合成の効率を高めることができ、藻類の繁殖効率を高めることができる。
【００２６】
また、本発明の水生生物育成システムは、水生生物育成槽と連通される、かつ、二価鉄または三価鉄を含むセラミックスが充填された浄化槽を備えるものとすることができる。
【００２７】
この場合、二価鉄または三価鉄が淡水や海水を還元させる働きをするので、腐敗が抑制され、水質汚染を抑止できる。
【発明の効果】
【００２８】
本発明に係る水生生物育成器は、水生生物の育成効率を向上させることができる。
本発明に係る水生生物育成システムは、水生生物の育成効率を向上させることができる。
【図面の簡単な説明】
【００２９】
【図１】本発明を適用した貝類育成器の一例を示す概略正面図である。
【図２】図１に示した本発明を適用した貝類育成器の概略側面図である。
【図３】本発明を適用した貝類育成システムの構成の一例を示す概略平面図である。
【図４】本発明を適用した貝類育成システムを構成する貝類育成槽の一例を示す概略正面図である。
【図５】本発明を適用した貝類育成システムを構成する藻類槽の一例を示す概略正面図である。
【図６】従来の養殖装置を示す概略図である。
【発明を実施するための形態】
【００３０】
以下、本発明の実施の形態について図面を参照しながら説明し、本発明の理解に供する。
図１は、本発明を適用した貝類育成器の一例を示す概略正面図である。また、図２は、図１に示した本発明を適用した貝類育成器の概略側面図である。
なお、図１および図２の上側が鉛直方向上側であり、図１および図２の下側が鉛直方向下側を示す。
【００３１】
図１および図２に示す本発明の貝類育成器１は、アワビやトコブシなどの貝類を育成するための水槽である貝類育成槽の内部に配置されるものである。また、貝類は水生生物の一例である。
【００３２】
また、本発明の貝類育成器１は、鉛直方向に延びる、かつ、遮光性を有する一対の鉛直板２を備える。ここで、鉛直板は鉛直部材の一例である。
また、本発明の貝類育成器１は、遮光性を有する傾斜板３を備える。
また、傾斜板３は、その鉛直方向上側の面が鉛直方向に傾斜しており、かつ、鉛直板２に突出して取付けられている。
ここで、傾斜板は第１の突出部材の一例である。
【００３３】
また、本発明の貝類育成器１は、遮光性を有する水平板４を備える。
また、水平板４は、傾斜板３の位置と鉛直方向および水平方向に異なる位置に、鉛直板２に突出して取付けられている。また、水平板４は、その鉛直方向上側の面が水平である。
ここで、水平板は第２の突出部材の一例である。
【００３４】
ここで、傾斜板３の位置と水平板４の位置は、傾斜板３および水平板４それぞれの中心を基準とした位置を意味する。
また、同一水平面に配置された傾斜板３と同一水平面に配置された水平板４とを一つの組合せ単位とした場合、この組み合わせ単位においては、図１に示すように傾斜板３が水平板４よりも鉛直方向斜め上側に配置されている。
【００３５】
また、一対の鉛直板２にはそれぞれ、一方の面と、この一方の面に対して平行な他方の面との間を貫通して、図示していない貫通孔が形成されている。
【００３６】
また、貫通孔の形状は長方形である。すなわち、貫通孔の形状は、板状部材の厚み領域の形状と略同じである。
また、貫通孔の形態は、鉛直方向に傾斜した形態や、水平な形態である。
従って、板状部材を各貫通孔に挿通させることで、傾斜板３や水平板４を鉛直板２に突出して取付けたこととなる。
【００３７】
また、一対の鉛直板２に突出して取付けられた、傾斜板３や水平板４は、図２に示すように鉛直方向の同じ位置において、１つの部材で構成されている。
すなわち、１つの板状部材が一方の鉛直板２の貫通孔に挿通されていると共に、他方の鉛直板２の貫通孔に挿通されている。
【００３８】
このような傾斜板３および水平板４は遮光性を有するので、鉛直方向上側からの光が傾斜板３や水平板４によって遮られる。
従って、傾斜板３の鉛直方向下側に向いた面や、水平板４の鉛直方向下側に向いた面や、鉛直板２の、傾斜板３や水平板４が取付けられた位置の鉛直方向下側の領域が特に暗くなり、これらの面や領域に夜行性の貝類を付着させやすい。
【００３９】
また、水平板４は、傾斜板３の位置と鉛直方向および水平方向に異なる位置に、鉛直板２に突出して取付けられているので、傾斜板３と水平板４とが段違いに配置されていることになり、傾斜板３と水平板４との間に貝類の餌例えば藻類を通すことができると共に、鉛直方向上側から光を遮りやすい。
【００４０】
また、傾斜板３の鉛直方向上側の面が鉛直方向に傾斜しているので、鉛直方向上側から投入された貝類の餌が、鉛直方向下側へ落ちやすくなる。
本発明の貝類育成器１は、貝類がすでに収容されている貝類育成槽内に配置されるので、貝類育成槽の底部に貝類が多く存在しており、本発明の貝類育成器１の鉛直方向上側から投入された餌が、鉛直方向下側に落ちやすくなることで、貝類育成槽の底部に多く存在する貝類が餌を食べやすくなる。
【００４１】
また、貝類は、鉛直板２に沿って移動し、鉛直方向上側に位置する傾斜板３や水平板４にまで辿り着くことができる。
また、水平板４の鉛直方向上側の面が水平であるので、鉛直方向上側から投入された貝類の餌が鉛直方向下側へ落ちにくく、水平板４に溜まりやすい。
【００４２】
さらに、図１に示すように、傾斜板３の端部と、水平板４の水平面とが、鉛直方向の同一線上に位置している。
従って、傾斜板３の傾斜面に沿って鉛直方向斜め下側へ落ちた餌は、水平板４の水平面上に落ちやすい。
【００４３】
その結果、貝類は、鉛直方向上側に位置する水平板４に溜まった餌を求めて、鉛直板２に沿って鉛直方向上側へ移動することができ、さらに、水平板４の鉛直方向斜め上側に傾斜板３が配置されているので、傾斜板３によって光が遮られた領域が生じ、夜行性の貝類がその場に滞在しやすい。
【００４４】
このように、本発明の貝類育成器は、貝類育成槽内において立体的かつ広範囲に貝類を滞在させることができ、貝類育成槽内の水例えば溶存酸素濃度が高い水を多くの貝類に接触させることができる。
その結果、貝類の酸素摂取量が多くなり、貝類の育成効率を向上させることができる。
【００４５】
また、図１に示すように傾斜板３と水平板４とが段違いに配置されているので、水平板４に溜まった餌が多くなりすぎて水平板４から溢れた餌は、傾斜板３と水平板４との間を通って鉛直方向下側へ落ちる。
しかも、傾斜板３が位置する水平面と水平板４が位置する水平面は、図１に示すように交互に存在するので、水平板４から溢れた餌は、水平板４の鉛直方向斜め下側に配置された傾斜板３の傾斜面上に落ちる。
【００４６】
そして、傾斜板３の傾斜面上に落ちた餌は、傾斜板３の傾斜面に沿って鉛直方向斜め下側へ落ち、水平板４の水平面上に落ちる。餌の落下（沈下）は、この繰り返しである。
【００４７】
また、図１に示すように、傾斜板３の一部すなわち傾斜板３の端部から一定の領域と、水平板４の一部すなわち水平板４の端部から一定の領域とが、鉛直方向の同一線上に位置している。
すなわち、傾斜板３と水平板４を鉛直方向上側から見ると、水平板４の端部が傾斜板３に隠れて見えない状態である。
【００４８】
また、鉛直板２の四隅と、鉛直板２の鉛直方向に延びる縁すなわち長手方向の縁の略中央の近傍に、バルブソケット５が貫通して取付けられている。
そして、一方の鉛直板２に取付けられたバルブソケット５と、他方の鉛直板２に取付けられたバルブソケット５とが連結されている。その結果、本発明の貝類育成器１の形状が安定する。
【００４９】
また、鉛直板２、傾斜板３および水平板４はプラスチック製であるが、遮光性を有するのであれば他の素材で構成されていてもよいことは勿論である。
【００５０】
また、本発明の水生生物育成器において、必ずしも第１の突出部材の少なくとも鉛直方向上側の面が鉛直方向に傾斜していなくてもよい。
しかし、第１の突出部材の少なくとも鉛直方向上側の面が鉛直方向に傾斜していれば、鉛直方向上側から投入された水生生物の餌が、鉛直方向下側へ落ちやすくなるので好ましい。
【００５１】
また、本発明の水生生物育成器において、必ずしも第２の突出部材の少なくとも鉛直方向上側の面が水平でなくてもよい。
しかし、第２の突出部材の少なくとも鉛直方向上側の面が水平であれば、鉛直方向上側から投入された水生生物の餌が鉛直方向下側へ落ちにくく、第２の突出部材に溜まりやすいので好ましい。
【００５２】
また、本発明の水生生物育成器において、必ずしも第１の突出部材の一部と第２の突出部材の一部とは、鉛直方向の同一線上に位置していなくてもよい。
しかし、第１の突出部材の一部と第２の突出部材の一部とが、鉛直方向の同一線上に位置していれば、鉛直方向上側からの光をさらに遮りやすいので好ましい。
【００５３】
図３は、本発明を適用した貝類育成システムの構成の一例を示す概略平面図である。また、図４は、本発明を適用した貝類育成システムを構成する貝類育成槽の一例を示す概略正面図である。また、図５は、本発明を適用した貝類育成システムを構成する藻類槽の一例を示す概略正面図である。
なお、図４および図５の上側が鉛直方向上側であり、図４および図５の下側が鉛直方向下側を示す。
【００５４】
図３に示す本発明の貝類育成システム１Ａは、水および貝類を収容可能な貝類育成槽６を備える。
また、図示していないが、貝類育成槽６の底部は二重になっており、貝類が接する底板に小さな穴が複数形成されており、この穴から貝類の食べ残しや糞が落ちるようにしてある。
【００５５】
ここで、使用する水は、例えば地下水、井戸でろ過された海水、殺菌処理された海水である。また、地下水は、貝毒の原因になる細菌などの混入が防止されているので、極めて安定した育成を行なうことができる。
【００５６】
また、本発明の貝類育成システム１Ａは、貝類育成槽６の内部に配置された本発明の貝類育成器１を備える。
【００５７】
すなわち、本発明の貝類育成システム１Ａは、鉛直方向に配置された、かつ、遮光性を有する鉛直板２を備える。
また、本発明の貝類育成システム１Ａは、鉛直方向上側の面が鉛直方向に傾斜しており、かつ、鉛直板２に突出して取付けられた、かつ、遮光性を有する傾斜板３を備える。
また、本発明の貝類育成システム１Ａは、傾斜板３の位置と鉛直方向および水平方向に異なる位置に、鉛直板２に突出して取付けられた水平板４を備える。また、水平板４は、その鉛直方向上側の面が水平であり、遮光性を有する。
【００５８】
また、貝類育成槽６の鉛直方向上側の面は開口されており、貝類育成槽６の内部と外部が連通している。
【００５９】
また、本発明の貝類育成システム１Ａは、貝類育成槽６と藻類送給管２１を介して連通された、かつ、水および藻類を収容可能な藻類槽７を備える。
また、藻類槽７の鉛直方向上側の面は開口されており、藻類槽７の内部と外部が連通している。
また、藻類としては具体的には例えば、オゴ海苔、アカモクが挙げられる。
【００６０】
すなわち、藻類槽７の短手方向に延び、かつ、対向する両側壁にはそれぞれ、藻類槽７の内部と連通した藻類採取管１７Ａが取付けられている。
また、藻類槽７の短手方向に延び、かつ、対向する両側壁にそれぞれ取付けられた藻類採取管１７Ａには、送給ポンプ１６を介して藻類送給管２１の一端がそれぞれ連通して取付けられている。
【００６１】
また、藻類槽７の短手方向に延び、かつ、対向する両側壁にはそれぞれ、藻類槽７の内部と連通した取水管１７Ｂが取付けられている。
【００６２】
一方、藻類送給管２１の他端は、図４に示すように、貝類育成槽６の鉛直方向上側から貝類育成槽６の内部に挿入されている。
【００６３】
また、本発明の貝類育成システム１Ａは、貝類育成槽６と導管１９を介して連通された、かつ、水に酸素を溶解可能な第１の気体溶解装置８を備える。
【００６４】
すなわち、貝類育成槽６の長手方向に延び、かつ、対向する両側壁にはそれぞれ、貝類育成槽６の内部と連通した排出管１７が取付けられている。
また、貝類育成槽６の長手方向に延び、かつ、対向する両側壁にそれぞれ取付けられた排出管１７には、導管１９の一端がそれぞれ連通して取付けられている。
【００６５】
また、一端が排出管１７に取付けられた導管１９のうち、一方の導管１９の他端は、他方の導管１９に連通して取付けられている。
また、他方の導管１９の他端は、第１の気体溶解装置８に連通して取付けられている。
【００６６】
また、排出管１７と第１の気体溶解装置８との間の導管１９には、貝類育成槽６内の水を循環させる循環ポンプ１２が連通して取付けられている。
また、排出管１７と第１の気体溶解装置８との間の導管１９には、導管１９内を通る水をろ過するフィルター１３が連通して取付けられている。
【００６７】
また、本発明の貝類育成システム１Ａは、貝類育成槽６と導管１９を介して連通された、かつ、二価鉄または三価鉄を含むセラミックスが充填された浄化槽１４を備える。
すなわち、排出管１７と第１の気体溶解装置８との間の導管１９に、浄化槽１４が連通して取付けられている。
【００６８】
ここで、セラミックスは有機物が存在しないミネラルの塊であり、ミネラルは基本的にプラスイオンであるので、マイナスイオンの酸素を引き付け、水を激しく振動させる。
そして、水を激しく振動させることで水クラスターを小さくし、水分子同士の隙間に介在していた有機物や気体の沈殿分離を促進する。なお、「水クラスター」とは、水分子同士が水素結合で結びついてできる集合体である。
【００６９】
また、セラミックスは水を激しく振動させるので、水の腐敗を抑制する。
また、水クラスターが小さくなった水は、生物の隅々まで、活性化された水を運ぶことができるので、生物が健康に育つことができる。
また、酸素が溶解した水によって、有機物から発生するアンモニアの分解が促進される。
【００７０】
また、排出管１７と第１の気体溶解装置８との間の導管１９には、導管１９を通る水の温度を一定に保つためのチラー１５が連通して取付けられている。
【００７１】
また、貝類育成槽６の短手方向に延び、かつ、対向する両側壁にはそれぞれ、貝類育成槽６の内部と連通した供給管１８が取付けられている。
また、貝類育成槽６の短手方向に延び、かつ、対向する両側壁にそれぞれ取付けられた供給管１８には、二股に分かれた導管１９の一端が連通して取付けられている。
【００７２】
また、一端が供給管１８に取付けられた導管１９の他端は、第１の気体溶解装置８に連通して取付けられている。
【００７３】
また、第１の気体溶解装置８には酸素ボンベ９が連通して取付けられている。従って、第１の気体溶解装置８は、酸素ボンベ９内の酸素を使って水に酸素を溶解できる。
具体的には、第１の気体溶解装置８は、水中に溶解している窒素分の多い空気を追い出して、純酸素に置き換えることができる。
【００７４】
水中に溶解している窒素分の多い空気を純酸素に置き換えることにより、無気泡で高濃度の溶存酸素水を得ることができる。
すなわち、一般的な空気溶解と比較して約４．８倍の純酸素溶存量が得られる。
これにより、水生生物にとって常に適正な溶存酸素濃度が得られることから、高密度のアワビやトコブシなどの育成が可能となる。
【００７５】
また、貝類育成槽６の短手方向に延び、かつ、対向する両側壁にはそれぞれ、貝類育成槽６の内部と連通した原水導入管２０が取付けられている。
この原水導入管２０に、外部から本発明の貝類育成システム１Ａに使用する水を導入することができる。
【００７６】
また、本発明の貝類育成システム１Ａは、藻類槽７と導管１９を介して連通された、かつ、水に二酸化炭素を溶解可能な第２の気体溶解装置１０を備える。
【００７７】
ここで、藻類槽７の内部と連通したそれぞれの取水管１７Ｂに導管１９の一端が連通して取付けられている。
また、一端が取水管１７Ｂに取付けられた導管１９の他端はそれぞれ、循環ポンプ１２に連通して取付けられている。
また、この循環ポンプ１２は、第２の気体溶解装置１０の一方側と連通している。
【００７８】
また、第２の気体溶解装置１０の他方側には、導管１９の一端が連通して取付けられている。
また、藻類槽７の長手方向に延びる一方の側壁の長手方向の両端付近には、藻類槽７の内部と連通した供給管１８が取付けられている。
また、一端が第２の気体溶解装置１０の他方側に取付けられた導管１９の他端は二股に分かれており、二股に分かれた導管１９の他端が供給管１８にそれぞれ連通して取付けられている。
【００７９】
また、藻類槽７の短手方向に延び、かつ、対向する両側壁にはそれぞれ、藻類槽７の内部と連通した排出管１７が取付けられている。
また、藻類槽７の長手方向に延びる他方の側壁には、藻類槽７の内部と連通した複数の供給管１８が長手方向に沿って取付けられている。
【００８０】
また、藻類槽７に取付けられた排出管１７と供給管１８は、導管１９を介して連通されている。
また、この導管１９には循環ポンプ１２が連通して取付けられている。
【００８１】
また、第２の気体溶解装置１０には二酸化炭素ボンベ１１が連通して取付けられている。従って、第２の気体溶解装置１０は、二酸化炭素ボンベ１１内の二酸化炭素を使って水に二酸化炭素を溶解できる。
具体的には、第２の気体溶解装置１０は、水中に溶解している窒素分の多い空気を追い出して、二酸化炭素に置き換えることができる。
【００８２】
水中に溶解している窒素分の多い空気を二酸化炭素に置き換えることにより、無気泡で高濃度の二酸化炭素溶解水を得ることができる。
すなわち、一般的な空気溶解と比較して約２，８００倍の二酸化炭素溶存量が得られる。
【００８３】
これにより、水生生物にとって常に適正な溶存二酸化炭素濃度が得られることから、高密度の藻類の栽培が可能となる。
【００８４】
さらに、第２の気体溶解装置１０には酸素ボンベ９が連通して取付けられている。従って、第２の気体溶解装置１０は、酸素ボンベ９内の酸素を使って水に酸素を溶解することもできる。
【００８５】
また、本発明の貝類育成システム１Ａは、藻類槽７の内部に配置された、かつ、発光可能なＬＥＤ照明具２４を備える。
ここで、ＬＥＤ照明具は発光体の一例である。
【００８６】
すなわち、図５に示すように、藻類槽７の鉛直方向上側において、藻類槽７の長手方向に延び、かつ、対向する両側壁に、複数の横方向架設部材２２が互いに平行に架設されている。
また、図５に示すように、縦方向架設部材２３が、藻類槽７の長手方向に沿って、すなわち横方向架設部材２２と直交して、横方向架設部材２２に架設されている。
【００８７】
また、図５に示すように、ＬＥＤ照明器具２４の形状は棒形状であり、複数のＬＥＤ照明具２４が、縦方向架設部材２３に吊り下げられている。
また、藻類槽７に入れられた水にＬＥＤ照明器具２４は浸されている。
【００８８】
また、本発明の貝類育成システムは、必ずしも浄化槽を備えていなくてもよい。
しかし、本発明の貝類育成システムが浄化槽を備えていれば、二価鉄または三価鉄が淡水や海水を還元させる働きをするので、腐敗が抑制され、水質汚染を抑止でき、好ましい。
【００８９】
次に、本発明の貝類育成システム１Ａによる貝類育成の流れを説明する。
アワビが収容された貝類育成槽６内に、本発明の貝類育成器１を複数配置する。
また、貝類育成槽６の原水導入管２０から、地下水を貝類育成槽６内に導入する。
【００９０】
一方、藻類槽７内にも、地下水を、例えば鉛直方向上側から導入すると共に、成長初期の藻類を鉛直方向上側から導入する。
【００９１】
そして、貝類育成槽６や藻類槽７にそれぞれ、導管１９を介して連通した循環ポンプ１２を駆動して、貝類育成槽６や藻類槽７に収容された地下水を循環させる。
【００９２】
また、貝類育成槽６の排出管１７から地下水を排出し、導管１９を通して第１の気体溶解装置８に導入する。
そして、第１の気体溶解装置８によって地下水に酸素を溶解して溶存酸素濃度を高め、第１の気体溶解装置８から、溶存酸素濃度が高められた地下水を排出し、導管１９を通して供給管１８から再び貝類育成槽６に供給する。
【００９３】
また、図４に示すように、供給管１８は貝類育成槽６の鉛直方向下側すなわち底部に取付けられているので、溶存酸素濃度が高められた地下水を底部から上部へ上がるように均等に流すことができる。
【００９４】
従って、貝類育成槽６内は、常に溶存酸素濃度が高い地下水で満たされている。また、溶存酸素濃度が高いので、貝類の酸素摂取も良くなり、貝類の育成効率が向上する。
また、溶存酸素濃度が高められた地下水を貝類育成槽６の底部に供給するので、貝類育成槽６内の水の低層部の溶存酸素濃度を高めることができ、低層部に滞留する糞や餌の残さが腐敗することなく好気的な環境となり、ほとんどが病原菌である嫌気性菌の発生を抑えることができる。
【００９５】
また、溶存酸素濃度が高められた地下水を貝類育成槽６の底部から上部へ上がるように均等に流すので、貝類育成槽６内の水の低層部から鉛直方向上側すなわち上層部までを、水生生物にとって適正な溶存酸素濃度を有する環境にすることができる。
従って、曝気方式に比べて本発明のシステムの方が、貝類育成槽における酸素が豊富な水領域が鉛直方向に大きいので、本発明の水生生物育成器の鉛直部材の鉛直方向長さを長くすることが可能になり、単位面積当たりの育成量を格段に増やすことができる。
【００９６】
また、チラー１５によって、循環する地下水の温度を２０−２７℃、好ましくは２５−２７℃に保つ。
【００９７】
一方、藻類槽７の取水管１７Ｂから地下水を取水し、導管１９を通して第２の気体溶解装置１０に導入する。
そして、第２の気体溶解装置１０によって地下水に二酸化炭素を溶解して溶存二酸化炭素濃度を高め、第２の気体溶解装置１０から、溶存二酸化炭素濃度が高められた地下水を排出し、導管１９を通して供給管１８から再び藻類槽７に供給する。
【００９８】
さらに、藻類槽７の内部には、ＬＥＤ照明具２４が配置されているので、地下水に溶存した二酸化炭素と、ＬＥＤの光とによって光合成が生じ、藻類の繁殖効率が向上する。
【００９９】
また、送給ポンプ１６を駆動して、藻類槽７において成長した藻類を藻類採取管１７Ａから採取し、藻類送給管２１を通して貝類育成槽６に導入する。
従って、豊富な酸素に加えて、貝類の餌である藻類が供給されるので、貝類の育成効率は、より一層向上する。
【０１００】
また、アワビやトコブシなどの貝類の育成について説明したが、必ずしもこれに限定されるものではない。本発明の水生生物育成器および水生生物育成システムは、例えば、カニ、エビの育成にも適している。
【０１０１】
以上のように、本発明の水生生物育成器および本発明の水生生物育成システムは、水生生物の育成効率を向上させることができる。
【符号の説明】
【０１０２】
１    貝類育成器
１Ａ  貝類育成システム
２    鉛直板
３    傾斜板
４    水平板
５    バルブソケット
６    貝類育成槽
７    藻類槽
８    第１の気体溶解装置
９    酸素ボンベ
１０    第２の気体溶解装置
１１    二酸化炭素ボンベ
１２    循環ポンプ
１３    フィルター
１４    浄化槽
１５    チラー
１６    送給ポンプ
１７    排出管
１７Ａ  藻類採取管
１７Ｂ  取水管
１８    供給管
１９    導管
２０    原水導入管
２１    藻類送給管
２２    横方向架設部材
２３    縦方向架設部材
２４    ＬＥＤ照明具
【図１】
2016144432.tif 000003
【図２】
2016144432.tif 000004
【図３】
2016144432.tif 000005
【図４】
2016144432.tif 000006
【図５】
2016144432.tif 000007
【図６】
2016144432.tif 000008